【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
個別に発光輝度を制御可能な複数の光源を有する発光手段と、
元画像にグラフィクス画像が重畳された合成画像に基づいて、前記発光手段からの光を変調することで画像を表示する表示手段と、
各光源に対応する、前記元画像と前記合成画像の少なくとも一方の画像の領域の明るさに応じて、各光源の発光輝度を制御する制御手段と、
を有し、
前記制御手段は、前記元画像に重畳された前記グラフィクス画像が第１の種類のグラフィクス画像である場合に、各光源に対応する前記元画像の領域の明るさに応じて各光源の発光輝度を制御し、前記元画像に重畳されたグラフィクス画像が第２の種類のグラフィクス画像である場合に、各光源に対応する前記合成画像の領域の明るさに応じて各光源の発光輝度を制御する
ことを特徴とする表示装置。
【請求項２】
前記第２の種類のグラフィクス画像は、重要度が前記第１の種類のグラフィクス画像よりも高いグラフィクス画像である
ことを特徴とする請求項１に記載の表示装置。
【請求項３】
前記第２の種類のグラフィクス画像は、ユーザにより操作されるユーザインタフェースを形成するグラフィクス画像である
ことを特徴とする請求項１または２に記載の表示装置。
【請求項４】
前記第１の種類のグラフィクス画像は、セーフティエリアマーカーである
ことを特徴とする請求項１〜３のいずれか１項に記載の表示装置。
【請求項５】
前記制御手段は、前記元画像に重畳された前記グラフィクス画像が第３の種類のグラフィクス画像である場合に、各光源に対応する前記元画像の領域の明るさと、各光源に対応する前記合成画像の領域の明るさとに応じて、各光源の発光輝度を制御する
ことを特徴とする請求項１〜４のいずれか１項に記載の表示装置。
【請求項６】
前記第３の種類のグラフィクス画像は、オーディオレベルメーターである
ことを特徴とする請求項５に記載の表示装置。
【請求項７】
前記制御手段は、各光源に対応する前記元画像の領域の明るさに応じた発光輝度と、各光源に対応する前記合成画像の領域の明るさに応じた発光輝度とを、前記元画像に重畳された前記グラフィクス画像の種類に応じた重みで合成した値に、各光源の発光輝度を制御する
ことを特徴とする請求項１〜６のいずれか１項に記載の表示装置。
【請求項８】
グラフィクス画像の種類毎に、重要度を表すランク情報が予め設定されており、
前記制御手段は、前記元画像に重畳された前記グラフィクス画像の種類に対応するランク情報に応じて、各光源の発光輝度の制御に用いる明るさとして、前記元画像と前記合成画像の少なくとも一方の画像の明るさを選択する
ことを特徴とする請求項１〜７のいずれか１項に記載の表示装置。
【請求項９】
前記元画像に重畳された前記グラフィクス画像が前記第１の種類のグラフィクス画像であり、且つ、前記元画像が全体的に暗い画像である場合に、
前記制御手段は、前記複数の光源のうち、前記元画像に重畳された前記グラフィクス画像の領域に対応する光源の発光輝度を、前記元画像の当該領域の明るさに応じた発光輝度よりも高い値に制御する
ことを特徴とする請求項１〜８のいずれか１項に記載の表示装置。
【請求項１０】
個別に発光輝度を制御可能な複数の光源を有する発光部と、
元画像にグラフィクス画像が重畳された合成画像に基づいて、前記発光部からの光を変調することで画像を表示する表示部と、
を有する表示装置の制御方法であって、
各光源に対応する、前記元画像と前記合成画像の少なくとも一方の画像の領域の明るさに応じて、各光源の発光輝度を制御する制御ステップを有し、
前記制御ステップでは、前記元画像に重畳された前記グラフィクス画像が第１の種類のグラフィクス画像である場合に、各光源に対応する前記元画像の領域の明るさに応じて各光源の発光輝度を制御し、前記元画像に重畳された前記グラフィクス画像が第２の種類のグラフィクス画像である場合に、各光源に対応する前記合成画像の領域の明るさに応じて各光源の発光輝度を制御する
ことを特徴とする表示装置の制御方法。
【請求項１１】
前記第２の種類のグラフィクス画像は、重要度が前記第１の種類のグラフィクス画像よりも高いグラフィクス画像である
ことを特徴とする請求項１０に記載の表示装置の制御方法。
【請求項１２】
前記第２の種類のグラフィクス画像は、ユーザにより操作されるユーザインタフェースを形成するグラフィクス画像である
ことを特徴とする請求項１０または１１に記載の表示装置の制御方法。
【請求項１３】
前記第１の種類のグラフィクス画像は、セーフティエリアマーカーである
ことを特徴とする請求項１０〜１２のいずれか１項に記載の表示装置の制御方法。
【請求項１４】
前記制御ステップでは、前記元画像に重畳された前記グラフィクス画像が第３の種類のグラフィクス画像である場合に、各光源に対応する前記元画像の領域の明るさと、各光源に対応する前記合成画像の領域の明るさとに応じて、各光源の発光輝度を制御する
ことを特徴とする請求項１０〜１３のいずれか１項に記載の表示装置の制御方法。
【請求項１５】
前記第３の種類のグラフィクス画像は、オーディオレベルメーターである
ことを特徴とする請求項１４に記載の表示装置の制御方法。
【請求項１６】
前記制御ステップでは、各光源に対応する前記元画像の領域の明るさに応じた発光輝度と、各光源に対応する前記合成画像の領域の明るさに応じた発光輝度とを、前記元画像に重畳された前記グラフィクス画像の種類に応じた重みで合成した値に、各光源の発光輝度を制御する
ことを特徴とする請求項１０〜１５のいずれか１項に記載の表示装置の制御方法。
【請求項１７】
グラフィクス画像の種類毎に、重要度を表すランク情報が予め設定されており、
前記制御ステップでは、前記元画像に重畳されたグラフィクス画像の種類に対応するランク情報に応じて、各光源の発光輝度の制御に用いる明るさとして、前記元画像と前記合成画像の少なくとも一方の画像の明るさを選択する
ことを特徴とする請求項１０〜１６のいずれか１項に記載の表示装置の制御方法。
【請求項１８】
前記元画像に重畳された前記グラフィクス画像が前記第１の種類のグラフィクス画像であり、且つ、前記元画像が全体的に暗い画像である場合に、
前記制御ステップでは、前記複数の光源のうち、前記元画像に重畳された前記グラフィクス画像の領域に対応する光源の発光輝度を、前記元画像の当該領域の明るさに応じた発光輝度よりも高い値に制御する
ことを特徴とする請求項１０〜１７のいずれか１項に記載の表示装置の制御方法。
【請求項１９】
請求項１０〜１８のいずれか１項に記載の表示装置の制御方法の各ステップをコンピュータに実行させることを特徴とするプログラム。
【手続補正２】
【補正対象書類名】明細書
【補正対象項目名】０００９
【補正方法】変更
【補正の内容】
【０００９】
本発明の第１の態様は、
個別に発光輝度を制御可能な複数の光源を有する発光手段と、
元画像にグラフィクス画像が重畳された合成画像に基づいて、前記発光手段からの光を変調することで画像を表示する表示手段と、
各光源に対応する、前記元画像と前記合成画像の少なくとも一方の画像の領域の明るさに応じて、各光源の発光輝度を制御する制御手段と、
を有し、
前記制御手段は、前記元画像に重畳された前記グラフィクス画像が第１の種類のグラフィクス画像である場合に、各光源に対応する前記元画像の領域の明るさに応じて各光源の発光輝度を制御し、前記元画像に重畳されたグラフィクス画像が第２の種類のグラフィクス画像である場合に、各光源に対応する前記合成画像の領域の明るさに応じて各光源の発光輝度を制御する
ことを特徴とする表示装置である。
【手続補正３】
【補正対象書類名】明細書
【補正対象項目名】００１０
【補正方法】変更
【補正の内容】
【００１０】
本発明の第２の態様は、
個別に発光輝度を制御可能な複数の光源を有する発光部と、
元画像にグラフィクス画像が重畳された合成画像に基づいて、前記発光部からの光を変調することで画像を表示する表示部と、
を有する表示装置の制御方法であって、
各光源に対応する、前記元画像と前記合成画像の少なくとも一方の画像の領域の明るさに応じて、各光源の発光輝度を制御する制御ステップを有し、
前記制御ステップでは、前記元画像に重畳された前記グラフィクス画像が第１の種類のグラフィクス画像である場合に、各光源に対応する前記元画像の領域の明るさに応じて各光源の発光輝度を制御し、前記元画像に重畳された前記グラフィクス画像が第２の種類のグラフィクス画像である場合に、各光源に対応する前記合成画像の領域の明るさに応じて各光源の発光輝度を制御する
ことを特徴とする表示装置の制御方法である。